(57)【要約】      （修正有）【課題】使用済みの輸送箱を比較的強度が大きい収納箱として再利用できる箱用シートを提供する。【解決手段】箱用シートは、１枚の段ボールシートから形成され、箱状の組立て状態でそれぞれ対向し合う１対の側面パネル１、２及び１対の端面パネル３、４を有する四角筒状部と、側面パネルの上縁から延出する１対の蓋外フラップ７、８と、端面パネルの一方の上縁から延出する第１蓋内フラップ９と、端面パネルの他方の上縁から延出する第２蓋内フラップ１０とを備える。１対の蓋外フラップが、基端縁から先端縁に至る切断容易線１５を有し、第１蓋内フラップ側の接続部１６と、第２蓋内フラップ側の折り返し部１７とに分割可能であり、第１蓋内フラップが、基端縁と平行な折り曲げ容易線１８を有し、組立て状態で接続部の外側に重ねられる外側部１０と接続部の内側に重ねられる内側部２０とに区分される。【選択図】図１
0003207310.tif 000002
【実用新案登録請求の範囲】
【請求項１】
１枚の段ボールシートから形成され、箱状に組立てられる箱用シートであって、
組立て状態でそれぞれ対向し合う１対の側面パネル及び１対の端面パネルを有する四角筒状部と、
上記側面パネルの上縁から延出する１対の蓋外フラップと、
上記端面パネルの一方の上縁から延出する第１蓋内フラップと、
上記端面パネルの他方の上縁から延出する第２蓋内フラップと
を備え、
上記１対の蓋外フラップが、基端縁から先端縁に至る切断容易線を有することで、第１蓋内フラップ側の接続部と、第２蓋内フラップ側の折り返し部とに分割可能であり、
上記第１蓋内フラップが、基端縁と平行な折り曲げ容易線を有することで、組立て状態で上記接続部の外側に重ねられる外側部と上記接続部の内側に重ねられる内側部とに区分されることを特徴とする箱用シート。
【請求項２】
上記内側部の基端縁近傍における左右方向の幅が端面パネルの左右方向の幅よりも小さく、上記内側部の先端縁近傍における左右方向の幅が端面パネルの左右方向の幅以上である請求項１に記載の箱用シート。
【請求項３】
上記切断容易線の側面パネル側の端部が上記第１蓋内フラップ側に傾斜している請求項１又は請求項２に記載の箱用シート。
【請求項４】
上記第２蓋内フラップの延出長さが上記１対の蓋外フラップの延出長さ以下であり、上記第２蓋内フラップの形状が先端縁に向かって拡幅する逆台形状である請求項１、請求項２又は請求項３に記載の箱用シート。
【請求項５】
上記内側部の先端縁両端の角が丸く面取りされている請求項１から請求項４のいずれか１項に記載の箱用シート。
【考案の詳細な説明】
【技術分野】
【０００１】
本考案は、箱用シートに関する。
【背景技術】
【０００２】
段ボールシートから形成される箱体が、様々な用途で利用されている。特に、各種の製品を製造所から販売店へと輸送するための輸送箱として、段ボール箱が一般的に使用されている。
【０００３】
このような製品輸送用の段ボール箱は、殆どが１度限りの使用で廃棄又はリサイクルされることが企図されている。ところが、実際には、使用済みの製品輸送用段ボール箱を、別の品物を収容するコンテナ又は品物を整理するための棚若しくはボックス（以下収納箱と言う）として利用する場合も少なくない。
【０００４】
一般的な段ボール箱は４枚のフラップによって封函できるよう構成されているが、収納箱として利用する場合、フラップは邪魔になりやすいため、側面パネルの内面又は外面に折り返した状態で使用することが多い。
【０００５】
また、１つの側面パネルから延出する１枚の蓋板によって封函されるギフトボックスにおいて、蓋板の先端部及び蓋板の外縁から延出して封函時に側面パネルの外側に配置されるスリーブ状の部分を切除することで、蓋板を側面パネルの内側に折り重ねやすくすることで、収納箱として再使用しやすくすることも提案されている（特開２００６−３６２８０号公報参照）。
【０００６】
しかしながら、段ボール箱の蓋板又はフラップを側面パネルに折り重ねた状態では、箱体の開口が平行四辺形状となるように変形しやすく、このように段ボール箱の強度が小さくなるために段ボール箱を積み重ねたりできないという不都合がある。
【先行技術文献】
【特許文献】
【０００７】
【特許文献１】特開２００６−３６２８０号公報参照
【考案の概要】
【考案が解決しようとする課題】
【０００８】
上記不都合に鑑みて、本考案は、使用済みの輸送箱を比較的強度が大きい収納箱として再利用できる箱用シートを提供することを課題とする。
【課題を解決するための手段】
【０００９】
上記課題を解決するためになされた考案は、１枚の段ボールシートから形成され、箱状に組立てられる箱用シートであって、組立て状態でそれぞれ対向し合う１対の側面パネル及び１対の端面パネルを有する四角筒状部と、上記側面パネルの上縁から延出する１対の蓋外フラップと、上記端面パネルの一方の上縁から延出する第１蓋内フラップと、上記端面パネルの他方の上縁から延出する第２蓋内フラップとを備え、上記１対の蓋外フラップが、基端縁から先端縁に至る切断容易線を有することで、第１蓋内フラップ側の接続部と、第２蓋内フラップ側の折り返し部とに分割可能であり、上記第１蓋内フラップが、基端縁と平行な折り曲げ容易線を有することで、組立て状態で上記接続部の外側に重ねられる外側部と上記接続部の内側に重ねられる内側部とに区分されることを特徴とする箱用シートである。
【００１０】
当該箱用シートは、上記１対の蓋外フラップが、基端縁から先端縁に至る切断容易線を有することで、第１蓋内フラップ側の接続部と、第２蓋内フラップ側の折り返し部とに分割可能であることよって、上記接続部を突き合わせ状態に保持することによって組立て状態の収納箱の強度を担保しつつ、上記折り返し部を側面パネルの内面に密着させるよう折り返して収納箱の開口を確保することができる。また、当該箱用シートは、上記第１蓋内フラップが、基端縁と平行な折り曲げ容易線を有することで、組立て状態で上記接続部の外側に重ねられる外側部と上記接続部の内側に重ねられる内側部とに区分されることによって、上記接続部を挟み込んで保持し、収納箱の強度をより確実に向上することができる。このため、当該箱用シートは、使用済みの輸送箱を比較的強度が大きい収納箱として再利用できる。
【００１１】
上記内側部の基端縁近傍における左右方向の幅が端面パネルの左右方向の幅よりも小さく、上記内側部の先端縁近傍における左右方向の幅が端面パネルの左右方向の幅以上であるとよい。このように、上記内側部の基端縁近傍における左右方向の幅が端面パネルの左右方向の幅よりも小さく、上記内側部の先端縁近傍における左右方向の幅が端面パネルの左右方向の幅以上であることによって、内側部の両側縁の先端近傍部を１対の側面パネルの間に嵌合させ、摩擦力により上記外側部と内側部との間に上記接続部を挟持した状態を比較的容易に保持することができる。
【００１２】
上記切断容易線の側面パネル側の端部が上記第１蓋内フラップ側に傾斜しているとよい。このように、上記切断容易線の側面パネル側の端部が上記第１蓋内フラップ側に傾斜していることによって、上記外側部と内側部との間に上記接続部を挟持した状態で、切断容易線の端部を上記第１蓋内フラップの折り曲げ容易線よりも第１蓋内フラップの基端側に配置することができる。これにより、切断容易線の端部に応力が集中しにくくなるので、当該箱用シートを組立ててなる収納箱の強度を向上することができる。
【００１３】
上記第２蓋内フラップの延出長さが上記１対の蓋外フラップの延出長さ以下であり、上記第２蓋内フラップの形状が先端縁に向かって拡幅する逆台形状であるとよい。このように、上記第２蓋内フラップの延出長さが上記１対の蓋外フラップの延出長さ以下であり、上記第２蓋内フラップの形状が先端縁に向かって拡幅する逆台形状であることによって、１対の側面パネルの内面に密着するよう折り返した１対の折り返し部の間に第２蓋内フラップを嵌合させ、摩擦力により折り返し部を側面パネルの内面に密着する状態に保持すると共に、第２蓋内フラップを端面パネルの内面に密着する状態に保持することができる。
【００１４】
上記内側部の先端縁両端の角が丸く面取りされているとよい。このように、上記内側部の先端縁両端の角が丸く面取りされていることによって、当該箱用シートを組立てて収納箱を形成する際に、内側部が折れ曲がったり段ボールシートのライナーが剥がれたりすることを抑制できる。
【考案の効果】
【００１５】
本考案の箱用シートは、使用済みの輸送箱を比較的強度が大きい収納箱として再利用できる。
【図面の簡単な説明】
【００１６】
【図１】本考案の一実施形態の箱用シートを示す模式的平面図（展開図）である。
【図２】図１の箱用シートを組立ててなる輸送箱の斜視図である。
【図３】図１の箱用シートを組立ててなる収容箱の斜視図である。
【図４】図１の箱用シートを組立ててなる輸送箱を収容箱に変形する手順を示す斜視図である。
【図５】図１の箱用シートを組立ててなる輸送箱を収容箱に変形する図４の次の手順を示す斜視図である。
【考案を実施するための形態】
【００１７】
以下、適宜図面を参照しつつ、本考案の実施の形態を詳説する。
【００１８】
［箱用シート］
図１に示す本考案の一実施形態に係る箱用シートは、１枚のダンボールシートから形成され箱状に組立てられる。なお、図１において、太い実線は段ボールシートを切断して形成される切断線を示し、破線状に見える部分は、短い切断線が並んで形成されている。また、図１において、細い実線は、段ボールシートの表面に筋押しして段ボールシートの折り曲げを容易にした罫線を示す。
【００１９】
当該箱用シートを形成する段ボールシートとしては、１枚の中芯の両側を１対のライナーで挟み込んだものだけでなく、３枚のライナーの間にそれぞれ中芯が挟み込まれたいわゆるダブルフルートを使用してもよく、中芯の片側にのみライナーが貼着されたいわゆる片面段ボールを使用してもよい。
【００２０】
当該箱用シートは、図２に示すように、物品を収容して輸送するための輸送箱に組立てることができ、かつこの輸送箱を開函後に、図３に示すように、物品を整理又は保管するために使用でき、物品を容易に出し入れ可能な収納箱に組立て直すことができる。
【００２１】
当該箱用シートは、組立て状態でそれぞれ対向し合う１対の側面パネル（第１側面パネル１及び第２側面パネル２）並びに１対の端面パネル（第１端面パネル３及び第２端面パネル４）を有する四角筒状部５を備える。より詳しくは、当該箱用シートは、第１側面パネル１、第１端面パネル３、第２側面パネル２及び第２端面パネル４がこの順番に左右方向に連接され、第１側面パネル１の第１端面パネル３と反対側の側縁に継ぎしろ６が連接され、この継ぎしろ６を第２端面パネル４の第２側面パネル２と反対側の端部の裏面側に貼着することによって無端ループ状に形成される四角筒状部５を備える。
【００２２】
なお、本明細書において、「左」及び「右」並びに「上」及び「下」とは、各構成要素の位置関係を示すために便宜的に使用されるものであり、当該箱用シートを組立ててなる輸送箱の一般的な配置における水平方向及び上下方向に対応するが、当該箱用シートを組立ててなる輸送箱又は収納箱の使用時の向きを限定するものではない。
【００２３】
また、当該箱用シートにおける段ボールシートの中芯の稜線の延在方向としては、特に限定されないが、当該箱用シートを組立ててなる輸送箱の上下方向の圧縮強度、つまり輸送箱の段積耐性を向上できる点で上下方向が好ましい。
【００２４】
第１側面パネル１及び第２側面パネルは、互いに略等しい方形状に形成される。第１端面パネル３及び第２端面パネル４は、互いに略等しく、第１側面パネル１及び第２側面パネル２と上下方向の高さが略等しい方形状に形成される。第１端面パネル３及び第２端面パネル４の左右方向の幅は、第１側面パネル１及び第２側面パネル２の左右方向の幅よりも小さいことが好ましい。
【００２５】
四角筒状部５の形成方法、つまり継ぎしろ６の第２端面パネル４への貼着方法としては、例えば接着剤、ステープラー等を用いることができる。
【００２６】
また、当該箱用シートは、側面パネル１，２の上縁から延出する１対の方形状の蓋外フラップ（第１蓋外フラップ７及び第２蓋外フラップ８）と、端面パネルの一方（第１端面パネル３）の上縁から延出する第１蓋内フラップ９と、端面パネルの他方（第２端面パネル４）の上縁から延出する第２蓋内フラップ１０とを備える。
【００２７】
さらに、当該箱用シートは、側面パネル１，２の下縁から延出する１対の方形状の底外フラップ（第１底外フラップ１１及び第２底外フラップ１２）と、端面パネル３，４の下縁から延出する１対の方形状の底内フラップ（第１底内フラップ１３及び第２底内フラップ１４）とを備える。
【００２８】
当該箱用シートは、底内フラップ１３，１４及び底外フラップ１１，１２で封止することによって箱状に組立てられる。具体的には、四角筒状部５の下端開口に第１底内フラップ１３及び第２底内フラップ１４を折り曲げてから、第１底外フラップ１１及び第２底外フラップ１２を互いの先端を突き合わせるように折り曲げることによって、四角筒状部５の下端開口を封止する底部が形成され、これにより当該箱用シートは、上部が開口した輸送箱となる。このようにして組立てた輸送箱は、例えば第１底外フラップ１１と第２底外フラップ１２との合わせ目に沿って粘着テープを貼着する等の方法によって、組立て状態を保持することができる。
【００２９】
さらに、当該箱用シートを組立ててなる輸送箱は、上部開口が、蓋外フラップ７，８及び蓋内フラップ９，１０によって封止されることで封函される。具体的には、四角筒状部５の上端開口に第１蓋内フラップ９及び第２蓋内フラップ１０を折り曲げてから、第１蓋外フラップ７及び第２蓋外フラップ８を互いの先端を突き合わせるように折り曲げることによって、四角筒状部５の上端開口を封止する蓋部を形成し、当該箱用シートを組立ててなる輸送箱を封函することができる。さらに、第１蓋外フラップ７と第２蓋外フラップ８との合わせ目に沿って粘着テープを貼着することによって当該箱用シートを組立ててなる輸送箱の封函状態を保持することができる。
【００３０】
当該箱用シートを組立ててなる輸送箱は、第１蓋外フラップ７と第２蓋外フラップ８との合わせ目に貼着した粘着テープを剥離又は切断することによって開函される。当該箱用シートを組立ててなる輸送箱は、開函して内部に収容した物品を取り出した後に、図３に示す収納箱に組立て直すことができる。
【００３１】
当該箱用シートを組立ててなる収納箱は、第１端面パネル３を底面とし、第２端面パネル４を天面とし、底外フラップ１１，１２及び底内フラップ１３，１４により形成される輸送箱における底部を背面とし、前面の上部が開口した箱体である。
【００３２】
＜蓋外フラップ＞
蓋外フラップ７，８は、当該箱用シートを組立ててなる輸送箱において、四角筒状部５の上端開口を封止するために、上下方向の延出長さが端面パネル３，４の左右方向の略１／２とされる。
【００３３】
また、蓋外フラップ７，８は、当該箱用シートを図３の収納箱に組立て可能とするために、基端縁（側面パネル１，２との境界）から先端縁に至る切断容易線１５を有する。これにより、蓋外フラップ７，８は、第１蓋内フラップ９側の接続部１６と、第２蓋内フラップ側の折り返し部１７とにそれぞれ分割可能とされている。１対の蓋外フラップ７，８の切断容易線１５、ひいては接続部１６及び折り返し部１７は、当該箱用シートの展開状態において左右対称に形成される。
【００３４】
１対の蓋外フラップ７，８の基端縁は、二重罫線（１つの折り曲げを促進するために狭い間隔で並んで形成される２本の罫線）によって画定されることが好ましい。このように、蓋外フラップ７，８の基端縁を二重形成によって画定することで、折り返し部１７を側面パネル１，２の内面に沿うよう折り返すことが比較的容易となる。
【００３５】
蓋外フラップ７，８の基端縁を画定する二重罫線の平均間隔の下限としては、段ボールシートの平均厚さの１倍が好ましく、１．５倍がより好ましい。一方、蓋外フラップ７，８の基端縁を画定する二重罫線の平均間隔の上限としては、段ボールシートの平均厚さの２．５倍が好ましく、２倍がより好ましい。蓋外フラップ７，８の基端縁を画定する二重罫線の平均間隔が上記下限に満たない場合、折り返し部１７を側面パネル１，２の内面に沿うよう折り返すことが容易でなくなるおそれがある。逆に、蓋外フラップ７，８の基端縁を画定する二重罫線の平均間隔が上記上限を超える場合、蓋外フラップ７，８の基端縁での折り曲げ位置を正確に定めることができず、当該箱用シートを組立ててなる輸送箱の隙間が大きくなるおそれがある。
【００３６】
（切断容易線）
切断容易線１５は、断続的に段ボールシートに形成される切り込み（いわゆるミシン目）によって画定することができる。
【００３７】
切断容易線１５は、図示するように、側面パネル１，２側の端部が第１蓋内フラップ９側に傾斜し、残りの先端側部分が上下方向に延在するよう形成されることが好ましい。このように、切断容易線１５の側面パネル１，２側の端部が第１蓋内フラップ９側に傾斜していることによって、当該箱用シートを組立ててなる収納箱における切断容易線１５の側面パネル１，２側の端部への応力集中による段ボールシートの破断を抑制することができる。
【００３８】
蓋外フラップ７，８の第１蓋内フラップ９側の側縁と切断容易線１５の先端側部分との平均間隔（接続部１６の左右方向の幅）の下限としては、側面パネル１，２の左右方向の長さの１／６が好ましく、１／４がより好ましい。一方、蓋外フラップ７，８の第１蓋内フラップ９側の側縁と切断容易線１５の先端側部分との平均間隔の上限としては、側面パネル１，２の左右方向の長さの３／５が好ましく、１／２がより好ましい。典型的には、蓋外フラップ７，８の第１蓋内フラップ９側の側縁と切断容易線１５の先端側部分との平均間隔は、蓋外フラップ７，８の延出長さと略等しい。蓋外フラップ７，８の第１蓋内フラップ９側の側縁と切断容易線１５の先端側部分との平均間隔が上記下限に満たない場合、当該箱用シートを組立ててなる収納箱の強度を十分に向上できないおそれがある。逆に、蓋外フラップ７，８の第１蓋内フラップ９側の側縁と切断容易線１５の先端側部分との平均間隔が上記上限を超える場合、当該箱用シートを組立ててなる収納箱の開口が小さくなることで物品の出し入れが容易でなくなるおそれがある。
【００３９】
切断容易線１５の傾斜部の上下方向の長さの下限としては、１０ｍｍが好ましく、１５ｍｍがより好ましい。一方、切断容易線１５の傾斜部の上下方向の長さの上限としては、５０ｍｍが好ましく、３０ｍｍがより好ましい。切断容易線１５の傾斜部の上下方向の長さが上記下限に満たない場合、切断容易線１５の端部への応力集中を十分に抑制できないおそれがある。逆に、切断容易線１５の傾斜部の上下方向の長さが上記上限を超える場合、当該箱用シートを組立ててなる収納箱の変形を十分に抑制できないおそれがある。
【００４０】
切断容易線１５の先端側部分に対する切断容易線１５の傾斜部の傾斜角度の下限としては、３０°が好ましく、４０°がより好ましい。一方、切断容易線１５の先端側部分に対する切断容易線１５の傾斜部の傾斜角度の上限としては、６０°が好ましく、５０°がより好ましい。切断容易線１５の先端側部分に対する切断容易線１５の傾斜部の傾斜角度が上記下限に満たない場合、切断容易線１５の端部への応力集中を十分に抑制できないおそれがある。逆に、切断容易線１５の先端側部分に対する切断容易線１５の傾斜部の傾斜角度が上記上限を超える場合、当該箱用シートを組立ててなる収納箱の変形を十分に抑制できないおそれがある。
【００４１】
蓋外フラップ７，８は、接続部１６及び折り返し部１７の切断容易線１５の先端側の角を面取りするよう切欠２１が形成されているとよい。このような切欠２１を蓋外フラップ７，８に形成することによって、切断容易線１５の破断開始が容易となると共に、当該箱用シートを組立ててなる収納箱において、折り返し部１７の切断容易線１５の先端側の角が潰れたり、この角から段ボールシートのライナーがめくれ上がることを防止することができる。
【００４２】
＜第１蓋内フラップ＞
第１蓋内フラップ９は、基端縁と平行に横断する折り曲げ容易線１８を有する。これにより、第１蓋内フラップ９は、当該箱用シートを収納箱に組立てて状態で、接続部１６の外側に重ねられる外側部１９と、接続部の内側に重ねられる内側部２０とに区分される。つまり、第１蓋内フラップ９は、折り曲げ容易線１８で二つ折りにされることで１対の接続部１６を挟み込み、これによって１対の側面パネル１，２を１対の端面パネル３，４に対して垂直に保持する。
【００４３】
第１蓋内フラップ９の折り曲げ容易線１８は、二重罫線によって画定されることが好ましい。このように、第１蓋内フラップ９の折り曲げ容易線１８を二重形成によって画定することで、外側部１９と内側部２０との間に接続部１６を無理なく挟み込むことが可能となる。
【００４４】
折り曲げ容易線１８の平均間隔の下限としては、段ボールシートの平均厚さの１倍が好ましく、１．５倍がより好ましい。一方、折り曲げ容易線１８の平均間隔の上限としては、段ボールシートの平均厚さの３倍が好ましく、２倍がより好ましい。折り曲げ容易線１８の平均間隔が上記下限に満たない場合、外側部１９と内側部２０との間に接続部１６を挟み込む十分な空間を形成できず、接続部１６の厚さにより内側部２０の折り返し状態の保持が不確実となるおそれがある。逆に、折り曲げ容易線１８の平均間隔が上記上限を超える場合、外側部１９と内側部２０との間で接続部１６ががたついて当該箱用シートを組立ててなる収納箱が変形しやすくなるおそれがある。
【００４５】
（外側部）
外側部１９は、当該箱用シートを組立ててなる収納箱において、前面の下側に存在する前壁部の最外面に配置される。
【００４６】
外側部１９は、左右方向の幅が第１端面パネル３の左右方向の幅と略等しい方形状に形成される。好ましくは、外側部１９の左右方向の幅は第１端面パネル３の左右方向の幅よりも段ボールシートの平均厚さと同程度だけ小さい幅とされ、外側部１９の上下方向の延出長さは蓋外フラップ７，８の接続部１６の左右方向の最大幅以上、好ましくは僅かに大きい長さとされる。また、外側部１９の上下方向の延出長さは蓋外フラップ７，８の上下方向の延出長さと略等しい長さとされることが好ましい。
【００４７】
（内側部）
外側部１９は、当該箱用シートを組立ててなる収納箱において、前面の下側に存在する前壁部の最内面に配置され、対向する側面パネル１，２の間に嵌合して、摩擦力により保持される。
【００４８】
内側部２０は、基端縁近傍における左右方向の幅が第１端面パネル３の左右方向の幅よりも小さく、先端縁近傍における左右方向の幅が第１端面パネル３の左右方向の幅以上であることが好ましい。また、内側部２０の具体的な形状としては、先端縁に向かって拡幅する逆台形状であることが好ましい。
【００４９】
内側部２０の上下方向の延出長さは外側部１９の延出長さより小さい。内側部２０と外側部１９との延出長さの差の下限としては、段ボールシートの平均厚さの１．５倍が好ましく、２倍がより好ましい。一方、内側部２０と外側部１９との延出長さの差の下限としては、段ボールシートの平均厚さの５倍が好ましく、３倍がより好ましい。内側部２０と外側部１９との延出長さの差が上記下限に満たない場合、内側部２０の先端が第１底内フラップ１３に干渉して内側部２０を接続部１６の内面に密着させられないおそれがある。逆に、内側部２０と外側部１９との延出長さの差が上記上限を超える場合、当該箱用シートを組立ててなる収納箱の内側に不必要な凹部が形成されて物品が引っかかりやすくなるおそれがある。
【００５０】
内側部２０の基端縁（折り曲げ容易線１８の上側）の長さと第１端面パネル３の左右方向の幅との差の下限としては、段ボールシートの平均厚さの２倍が好ましく３倍がより好ましい。と一方、内側部２０の基端縁の長さと第１端面パネル３の左右方向の幅との差との上限としては、段ボールシートの平均厚さの６倍が好ましく５倍がより好ましい。内側部２０の基端縁の長さと第１端面パネル３の左右方向の幅との差が上記下限に満たない場合、当該箱用シートを収納箱に組立てる際、内側部２０を接続部１６の内面に沿うよう折り返すことが容易でなくなるおそれがある。逆に、内側部２０の基端縁の長さと第１端面パネル３の左右方向の幅との差が上記上限を超える場合、当該箱用シートを組立ててなる収納箱の内側に不必要な凹部が形成されて物品が引っかかりやすくなるおそれがある。
【００５１】
内側部２０の左右方向の最大幅と第１端面パネル３の左右方向の幅との差との下限としては、０が好ましく、段ボールシートの平均厚さの１／３がより好ましい。一方、内側部２０の左右方向の最大幅と第１端面パネル３の左右方向の幅との差との上限としては、段ボールシートの平均厚さの１．５が好ましく、１倍がより好ましい。内側部２０の左右方向の最大幅と第１端面パネル３の左右方向の幅との差が上記下限に満たない場合、内側部２０の側面パネル１，２との摩擦力が不十分となって、当該箱用シートを収納箱に組立てた状態を保持できないおそれがある。逆に、内側部２０の左右方向の最大幅と第１端面パネル３の左右方向の幅との差が上記上限を超える場合、当該箱用シートを収納箱に組立てることが容易でなくなるおそれや、組立て時に内側部２０が折れ曲がることにより側面パネル１，２との間の摩擦力が不十分となって、当該箱用シートを収納箱に組立てた状態を保持できないおそれがある。
【００５２】
さらに、この内側部２０の形状は、先端縁両端の角が丸く面取りされていることが好ましい。このように、内側部２０の先端縁両端の角が丸く面取りされていることによって、内側部２０を対向する側面パネル１，２の間に嵌合させて当該箱用シートを収納箱に組立てる際に、内側部２０が折れ曲がったり段ボールシートのライナーが剥がれたりして組立て状態を保持する摩擦力が低下することを防止できる。
【００５３】
内側部２０の先端縁両端の角の面取りの曲率半径の下限としては、５ｍｍが好ましく、１０ｍｍがより好ましい。一方、内側部２０の先端縁両端の角の面取りの曲率半径の上限としては、３０ｍｍが好ましく、２０ｍｍがより好ましい。内側部２０の先端縁両端の角の面取りの曲率半径が上記下限に満たない場合、内側部２０を対向する側面パネル１，２の間に嵌合させ際の折れ曲がり等を十分に防止できないおそれがある。逆に、内側部２０の先端縁両端の角の面取りの曲率半径が上記上限を超える場合、内側部２０と側面パネル１，２との間で摩擦力を生じる位置が折り曲げ容易線１８に近くなることで当該箱用シートを組立て状態に保持できないおそれがある。
【００５４】
＜第２蓋内フラップ＞
第２蓋内フラップ１０は、当該箱用シートを組立ててなる収納箱において、１対の折り返し部１７の間に嵌合して、折り返し部１７を側面パネル１，２の内面に沿って配置される状態に保持すると共に、折り返し部１７との間の摩擦力によって第２蓋内フラップ１０自身が第２端面パネル４の内面に沿って配置される状態を保持する。
【００５５】
第２蓋内フラップ１０の形状としては、折り返し部１７との間の摩擦力ができるだけ延出方向先端側で発生するよう先端縁に向かって拡幅する逆台形状が好ましく、折り返し部１７との間に嵌合する際に第２蓋内フラップ１０が折り曲がりにくいよう先端縁両側の角が丸く面取りされていることが好ましい。
【００５６】
第２蓋内フラップ１０の延出長さとしては、当該箱用シートを組立ててなる収納箱において、１対の折り返し部１７の間に嵌合できるよう、蓋外フラップ７，８の延出長さ以下とすることが好ましい。また、当該箱用シートを組立ててなる輸送箱において第１蓋内フラップ９の先端部と第２蓋内フラップ１０の先端部とが緩衝しないよう、第１蓋内フラップ９の延出長さと第２蓋内フラップ１０の延出長さとの合計が、側面パネル１，２の左右方向の長さ以下であることが好ましい。
【００５７】
第２蓋内フラップ１０の左右方向の最大幅は、第２端面パネル４の左右方向の幅よりも小さい。第２蓋内フラップ１０の左右方向の最大幅と第２端面パネル４の左右方向の幅との差の下限としては、段ボールシートの平均厚さの１倍が好ましく、２倍がより好ましい。一方、第２蓋内フラップ１０の左右方向の最大幅と第２端面パネル４の左右方向の幅との差の上限としては、段ボールシートの平均厚さの４倍が好ましく、３．５倍がより好ましい。第２蓋内フラップ１０の左右方向の最大幅と第２端面パネル４の左右方向の幅との差が上記下限に満たない場合、第２蓋内フラップ１０を１対の折り返し部１７の間に嵌合させる際に第２蓋内フラップ１０が折れ曲がって摩擦力が低下することで組立て状態を保持できなくなるおそれがある。逆に、第２蓋内フラップ１０の左右方向の最大幅と第２端面パネル４の左右方向の幅との差が上記上限を超える場合、折り返し部１７との間の摩擦力が不十分となって組立て状態を保持できなくなるおそれがある。
【００５８】
第２蓋内フラップ１０の基端縁（第２端面パネル４との境界）は、二重罫線によって画定されることが好ましい。このように、第２蓋内フラップ１０の基端縁が二重罫線によって画定されることによって、段ボールシートの復原力を小さくして第２蓋内フラップ１０の折り返し状態を保持しやすくすることができると共に、第２蓋内フラップ１０の折り返しにより第２端面パネル４の上縁の剛性を大きくすることで当該箱用シートを組立ててなる収納箱の強度を向上することができる。
【００５９】
＜輸送箱から収納箱への変形＞
当該箱用シートを組立ててなる輸送箱を開函後に収容箱変形する手順、つまり当該箱用シートを組立ててなる輸送箱を収容箱に組立て直す手順について説明する。
【００６０】
当該箱用シートを組立ててなる輸送箱は、蓋外フラップ７，８及び蓋内フラップ９，１０を引き起こして、四角筒状部５の上端開口を開放することにより開函される。
【００６１】
開函された箱体は、底外フラップ１１，１２及び底内フラップ１３，１４により底部を形成した状態を保持したまま、蓋外フラップ７，８を切断容易線１５に沿って切断して接続部１６と折り返し部１７とに分離することで収納箱として組立て可能となる。
【００６２】
収納箱の組立ては、先ず、図４に示すように、各折り返し部１７を側面パネル１，２の内面に密着させるよう内側に折り込んでから、さらに第２内フラップ１０を第２端面パネル４の内面に密着させるよう内側に折り込むことで、１対の折り返し部１７の上端部の間に第２内フラップ１０を嵌合させる。折り返し部１７と第２内フラップ１０との摩擦によって、１対の折り返し部１７及び第２内フラップ１０は、四角筒状部５の内面に沿って配置された状態に保持される。
【００６３】
続いて、図５に示すように、１対の接続部１６を互いの先端を突き合わせるよう折り曲げる。そして、第１内フラップ９を折り込んで１対の接続部１６の外面に外面部１９を密着させ、内面部２０を１対の接続部１６の内面に密着させるよう、第１内フラップ９を折り曲げ容易線１８で二つ折りにすることで、図３の収納箱が完成する。この状態で、内面部２０が１対の側面パネル１，２の間に嵌合し、摩擦力によって保持されるため、収納箱の組立て状態が保持される。
【００６４】
＜利点＞
当該箱用シートは、１対の蓋外フラップ７，８が切断容易線１５により接続部１６と折り返し部１７とにそれぞれ分割可能であることで、折り返し部１７を側面パネル１，２の内面に沿うように折り込むことで、開口を有する収納箱を形成することができる。また、当該箱用シートは、第１蓋内フラップ９が折り曲げ容易線１８を有することによって、１対の接続部１６を挟み込んで側面パネル１，２を端面パネル３，４に垂直に保持することで収納箱の強度を向上する。従って、当該箱用シートは、輸送箱として使用した後に比較的強度が大きい収納箱として再利用することができる。
【００６５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６６】
当該箱用シートは、１対の側面パネルの左右方向の長さが、１対の端面パネルの左右方向の長さよりも小さくてもよい。
【００６７】
また、当該箱用シートにおいて、四角筒状部は、いずれの側面パネルと端面パネルとの間に継ぎしろが設けられてもよい。つまり、展開状態の当該箱用シートにおいて、１対の蓋外フラップ、第１蓋内フラップ及び第２蓋内フラップの順番は、実施形態の順番に限定されない。
【００６８】
また、当該箱用シートにおいて四角筒状部の底部開口を封止する構成は、実施形態の構成に限られず、例えばワンタッチタイプ、アメリカンロックタイプ等任意の構成を採用することができる。
【００６９】
当該箱用シートを組立ててなる輸送箱は、輸送のみを目的とするものに限られず、化粧箱としての機能を有してもよい。
【産業上の利用可能性】
【００７０】
当該箱用シートは、工業生産される製品を販売店に輸送するための輸送箱として特に好適に利用することができる。
【符号の説明】
【００７１】
１  第１側面パネル
２  第２側面パネル
３  第１端面パネル
４  第２端面パネル
５  四角筒状部
６  継ぎしろ
７  第１蓋外フラップ
８  第２蓋外フラップ
９  第１蓋内フラップ
１０  第２蓋内フラップ
１１  第１底外フラップ
１２  第２底外フラップ
１３  第１底内フラップ
１４  第２底内フラップ
１５  切断容易線
１６  接続部
１７  折り返し部
１８  折り曲げ容易線
１９  外側部
２０  内側部
２１  切欠
【図１】
0003207310.tif 000003
【図２】
0003207310.tif 000004
【図３】
0003207310.tif 000005
【図４】
0003207310.tif 000006
【図５】
0003207310.tif 000007